(57)【特許請求の範囲】
【請求項１】
試料導入部及び前記試料導入部から導入された試料中の成分を検出する検出部を少なくとも含む分析部と、
前記分析部の動作を制御する動作制御部と、
タッチパネルつき液晶表示装置と、
前記液晶表示装置に表示する画面を構成して前記液晶表示装置での画面表示を実行する液晶コントローラと、
前記タッチパネルの触れられた位置を認識するタッチパネルコントローラと、
調整されたコントラスト調整値を保存するコントラスト調整値保存用メモリと、
前記液晶コントローラを介して前記液晶表示装置に前記分析部による検出結果を示すデータ画面のほかに、画面のコントラストを調整するためのコントラスト調整用ボタンを含む４つのボタンを矩形画面の４つの隅部に備えたコントラスト調整画面を少なくとも表示させるとともに、前記タッチパネルコントローラからの信号を取り込み、前記コントラスト調整画面以外の画面のみが表示されている状態で前記タッチパネルに予め設定された一定時間以上継続して人が触れたときに現に表示中の画面の上に前記コントラスト調整画面を表示し、前記コントラスト調整画面が表示されているときに前記４つのボタンのうちのコントラスト調整用ボタンに人が触れたときにそのボタンの指示によるコントラスト調整を行い、調整ずみのコントラスト調整値を前記コントラスト調整値保存用メモリに保存する表示制御部と、
コントラスト調整値保存用メモリに保存されたコントラスト調整値又は前記表示制御部からの指示にしたがって前記液晶表示装置の表示画面のコントラストを調整するコントラスト調整回路と、を備えた分析装置。
【請求項２】
前記コントラスト調整用ボタンの縦サイズは前記液晶表示装置の表示画面の縦サイズの１／４〜１／３、前記コントラスト調整用ボタンの横サイズは同表示画面の横サイズの１／５〜１／３である請求項１に記載の分析装置。
【発明の詳細な説明】
【技術分野】
【０００１】
本発明は、下水・河川水、工場排水などに含まれる汚濁成分などの測定に用いる水質分析計等の分析装置であって、分析結果などを表示する表示装置としてタッチパネルつき液晶表示装置を備えた分析装置に関するものである。
【背景技術】
【０００２】
そのような分析装置の一例は水質分析計である。水質分析計には、試料中に含まれる全有機体炭素(ＴＯＣ)のみを測定するＴＯＣ計の他に、ＴＯＣと窒素化合物(全窒素：ＴＮ)をともに測定できるＴＯＣ／ＴＮ計（特許文献１参照。）、窒素化合物とリン化合物をともに分析する全窒素（ＴＮ）／全リン（ＴＰ）計（特許文献２参照。）、ＴＮ、ＴＰ及び有機汚濁物質を測定できるようにした水質分析計（特許文献３参照。）などもある。
【０００３】
そのような水質分析計では、設定項目として測定条件、測定スケジュールなど、操作項目として測定履歴の表示、測定履歴の保存、測定データや測定履歴の印刷、測定履歴の検索など、を指定して表示させたり動作をさせたりすることができるようになっている。
【０００４】
ＴＯＣ計に限らず、複数の設定項目や操作項目をもつ分析装置では、設定項目や操作項目の指示を入力する方法として、タッチパネルつき液晶表示装置を使用して測定データとともに画面上に表示される操作ボタンを使用して操作を行なうものがある。
液晶表示装置では画面のコントラストを調整する必要に迫られることがある。タッチパネルつき液晶表示装置を使用している場合でも、コントラストの調整はタッチパネル操作ではなく、専用のキー又は別の機能キーの組み合わせで液晶画面のコントラスト調整を行っていた。
【先行技術文献】
【特許文献】
【０００５】
【特許文献１】特開２００７-２４７１７号公報
【特許文献２】特開２００７-８６０４１号公報
【特許文献３】特開２００１-５６３３２号公報
【発明の概要】
【発明が解決しようとする課題】
【０００６】
タッチパネルつき液晶表示装置の画面上の操作ボタンを使用して操作を行なう場合でも、コントラスト調整にはタッチパネルを使用しないのは次の理由による。タッチパネルを使用してコントラスト調整を行うには、液晶表示画面上にコントラスト調整用のボタンを表示してタッチパネルを操作することになるが、その場合、調整前のコントラストの状態がホワイトアウト状態（真白の状態）やブラックアウト状態（真黒の状態）の場合、ボタン表示を見ることができないため、コントラスト調整を行うことができないからである。
【０００７】
そこで、本発明は、液晶表示画面の調整前のコントラストの状態がホワイトアウト状態やブラックアウト状態であっても、液晶表示画面のコントラスト調整をできるようにすることを目的とするものである。
【課題を解決するための手段】
【０００８】
本発明では、人がタッチパネルに所定時間以上触れることによりコントラスト調整用の画面を表示するようにし、また、コントラスト調整用のボタンが表示されるべき位置を特定の位置として決めておき、コントラスト調整用の画面が表示された状態でその位置に触れることによりコントラスト調整がなされるようにすることにより、仮にホワイトアウト状態やブラックアウト状態になっていて見えない場合であってもその位置に触れることができるようにする。
【０００９】
すなわち、本発明の分析装置は、試料導入部及び試料導入部から導入された試料中の成分を検出する検出部を少なくとも含む分析部と、分析部の動作を制御する動作制御部と、タッチパネルつき液晶表示装置と、液晶表示装置に表示する画面を構成して液晶表示装置での画面表示を実行する液晶コントローラと、タッチパネルの触れられた位置を認識するタッチパネルコントローラと、調整されたコントラスト調整値を保存するコントラスト調整値保存用メモリと、液晶コントローラを介して液晶表示装置に分析部による検出結果を示すデータ画面のほかに、画面のコントラストを調整するためのボタンを含む４つのボタンを矩形画面の４つの隅部に備えたコントラスト調整画面を少なくとも表示させるとともに、タッチパネルコントローラからの信号を取り込み、コントラスト調整画面以外の画面のみが表示されている状態でタッチパネルに予め設定された一定時間以上継続して人が触れたときに現に表示中の画面の上にコントラスト調整画面を表示し、コントラスト調整画面が表示されているときに前記４つのボタンのうちのコントラストを調整するためのボタンに人が触れたときにそのボタンの指示によるコントラスト調整を行い、調整ずみのコントラスト調整値をコントラスト調整値保存用メモリに保存する表示制御部と、コントラスト調整値保存用メモリに保存されたコントラスト調整値又は表示制御部からの指示にしたがって液晶表示装置の表示画面のコントラストを調整するコントラスト調整回路と、を備えている。
【００１０】
ここでは、液晶表示装置の矩形画面の４つの隅部がコントラスト調整用のボタンが表示されるべき特定の位置である。４つの隅部がその特定の位置であることをユーザに予め知らせておけば、コントラスト調整画面が表示された状態で仮にホワイトアウト状態やブラックアウト状態になっていてもコントラスト調整用のボタンが４つの隅部のどこにあるかも操作者に分かっているので、そのボタンが見えなくてもそのボタンが表示されているべき位置に触れてコントラスト調整を行うことができるようになる。
【００１１】
コントラスト調整を行わないときに、液晶表示装置に誤って触れることによりコントラスト調整画面が表示される事態を避けるために、コントラスト調整画面以外の画面のみが表示されている状態でタッチパネルに予め設定された一定時間以上継続して触れられたときに限ってコントラスト調整画面が表示されるようにした。
【００１２】
液晶表示装置の矩形画面上の４つの隅部でコントラスト調整用のボタンが表示されるべき特定の位置の大きさは、小さすぎると操作性か悪くなり、大きすぎるとコントラスト調整を行う際のボタン以外の画面の面積が小さくなってコントラスト調整がしにくくなる。そのため、好ましい形態として、ボタンの縦サイズは液晶表示装置の表示画面の縦サイズの１／４〜１／３程度、ボタンの横サイズは同表示画面の横サイズの１／５〜１／３程度に設定するのが適当である。
【発明の効果】
【００１３】
本発明では、液晶表示画面に人が予め設定された一定時間以上継続して触れることによりコントラスト調整画面を表示するようにし、表示されたコントラスト調整画面上で４つの隅部にあるコントラスト調整用のボタンに人が触れることによりコントラスト調整を実行できるようにしたので、タッチパネル以外の場所にコントラスト調整用のスイッチを設ける必要がなく、タッチパネルだけでコントラスト調整画面を表示することができる。そのコントラスト調整画面が表示されたときは仮にホワイトアウト状態やブラックアウト状態になっていても位置が分かっているので、操作者はコントラスト調整用ボタンに触れることができてコントラスト調整を行うことができるようになる。
【図面の簡単な説明】
【００１４】
【図１】一実施例のＴＯＣ／ＴＮ計を示す概略構成図である。
【図２】同実施例における表示装置を示すブロック図である。
【図３】同表示装置において表示装置に表示されているデータ画面上にコントラスト調整画面が表示された状態を示す図である。
【図４】同実施例の動作を示すフローチャートである。
【図５】他の実施例のＴＮ／ＴＰ計を示す概略構成図である。
【発明を実施するための形態】
【００１５】
以下、図面を参照して本発明の実施例を詳細に説明する。
図１は、本発明の分析装置の一実施例のＴＯＣ／ＴＮ計の概略構成図である。環境水などの試料が連続して流れる採水管１に、その試料の一部をＴＯＣ計本体２内の分岐部３を経てドレン出口１２に排出する流路が接続されている。その試料用の流路の分岐部３には、オンライン測定用の試料を採取して分析部に導くために、試料注入機構１８の８ポートバルブ１４の１つのポートが接続されている。
【００１６】
試料注入機構１８は８ポートバルブ１４とそれに接続されたマイクロシリンジ１６で構成されており、マイクロシリンジ１６は８ポートバルブ１４の共通ポートに接続され、８ポートバルブ１４の他のいずれのポートとも接続されるようになっている。
【００１７】
８ポートバルブ１４の共通ポート以外のポートには、試料用流路の分岐部３のほか、ＩＣを測定するときに試料を酸性にするために添加する酸２０につながる流路、校正用の標準液２２につながる流路、希釈や洗浄に使用する純水２４につながる流路、オフライン測定用の試料２６につながる流路、試料中の炭素成分の全てをＣＯ2に変換する触媒を備えたＴＣ酸化反応部３２の試料注入部３４につながる流路、不要な気体を排出するためのドレン出口２８につながる流路、不要な液体を排出するためのドレン出口１２につながる流路がそれぞれ接続されている。
【００１８】
空気入り口４２から取り込んだ空気から炭素成分を除去して精製ガスを生成し、流量を調節して送り出すためにガス精製・流量制御部４０が設けられている。ガス精製・流量制御部４０のガス出口には、ガス精製・流量制御部４０で生成された精製ガスをスパージガス又はキャリアガスとしてマイクロシリンジ１６に供給する流路４１ａと、キャリアガスとしてＴＣ酸化反応部３２に供給する流路４１ｂと、オゾン発生部５０に精製ガスを供給する流路４１ｃが接続されている。
【００１９】
ＴＣ酸化反応部３２は、試料中の炭素成分をＣＯ2に変換し、窒素成分をＮＯに変換する酸化触媒が充填されたＴＣ燃焼管３６、そのＴＣ燃焼管３６に試料とキャリアガスを導入するＴＣ試料注入部３４、及びＴＣ燃焼管３６を加熱する加熱炉３８から構成されている。ＴＣ燃焼管３６の下流部は水分を除去する除湿器やハロゲン成分を除去するハロゲンスクラバーなどを備えた除湿・ガス処理部４４を経て、ＣＯ2を検出する赤外線ガス分析部４６に接続されている。赤外線ガス分析部４６の下流部は、ＮＯを検出する化学発光分析部４８に接続されている。化学発光分析部４８にはオゾン発生部５０からオゾンが供給されている。化学発光分析部４８の下流部は、オゾンキラー５２を介してドレン出口５４に接続されている。
【００２０】
試料注入機構１８、ＴＣ酸化反応部３２、ガス精製・流量制御部４０、赤外線ガス分析部４６及び化学発光分析部４８は分析部を構成している。
赤外線ガス分析部４６の出力及び化学発光分析部４８の出力は演算部５６に入力される。演算部５６は、８ポートバルブ１４及びマイクロシリンジ１６の動作、並びに赤外線ガス分析部４６及び化学発光分析部４８の検出器感度を制御する動作制御部５８が接続されている。演算部５６には、キーボード６０、レコーダ６２が接続されている。
【００２１】
演算部５６と動作制御部５８には後述の図２に示される表示装置１００が接続されている。
【００２２】
次に、図１を参照して測定動作を説明する。
【００２３】
(ＴＣ測定及びＴＮ測定)
動作制御部５８からの制御信号により、８ポートバルブ１４の切換えとマイクロシリンジ１６の動作が行われる。まず、マイクロシリンジ１６が分岐部３に接続されて、マイクロシリンジ１６に一定量の試料が採取される。所定の希釈率が設定されている場合は、マイクロシリンジ１６が純水２４に接続されて、マイクロシリンジ１６中の試料に所定量の純水が加えられる。次に、マイクロシリンジ１６の試料がＴＣ酸化反応部３２のＴＣ試料注入口３４を経てＴＣ燃焼管３６に注入され、試料中の炭素成分がＣＯ2に変換され、窒素成分がＮＯに変換される。ＴＣ燃焼管３６で発生したＣＯ2及びＮＯは、ガス精製・流量制御部４０から流路４１ｂを経て供給されたキャリアガスとともに除湿・ガス処理部４４に送られ、冷却、除湿及びハロゲン除去された後、赤外線ガス分析部４６でＣＯ2が検出され、続いて化学発光分析部４８でＮＯが検出される。それらの検出信号は演算部５６に送られ、その信号からピーク値又はピーク面積が求められ、検量線データに基づいてＴＣ濃度とＴＮ濃度が求められる。求められたＴＣ濃度とＴＮ濃度は試料注入量、希釈率、測定日時などのデータとともに表示装置１００に送られる。
【００２４】
(ＩＣ測定及びＴＯＣ測定)
ＴＣ測定及びＴＮ測定の時と同様にして、マイクロシリンジ１６に一定量の試料が採取される。所定の希釈率が設定されている場合は、マイクロシリンジ１６が純水２４に接続されてマイクロシリンジ１６中の試料に所定量の純水が加えられる。次に、マイクロシリンジ１６が酸２０に接続されてマイクロシリンジ１６中の試料に少量の酸が加えられる。次に、マイクロシリンジ１６がＴＣ試料注入口３４に接続され、ガス精製・流量制御部４０から流路４１ａを経てスパージガスがマイクロシリンジ１６に供給される。試料中のＩＣから発生したＣＯ2はスパージガスとともに除湿・ガス処理部４４に送られ、冷却、除湿、ハロゲン除去された後、赤外線ガス分析部４６でＣＯ2が検出される。検出信号は演算部５６に送られ、その信号からＩＣ濃度が求められる。演算部５６により、ＴＣ濃度とＩＣ濃度との差からＴＯＣ濃度が求められる。
【００２５】
ＴＯＣ濃度を単独で測定することもできる。ＴＣ測定及びＴＮ測定の時と同様にして、マイクロシリンジ１６に一定量の試料が採取される。所定の希釈率が設定されている場合は、マイクロシリンジ１６が純水２４に接続されてマイクロシリンジ１６中の試料に所定量の純水が加えられる。次に、マイクロシリンジ１６が酸２０に接続されてマイクロシリンジ１６中の試料に少量の酸が加えられる。次に、マイクロシリンジ１６がドレン出口２８に接続され、ガス精製・流量制御部４０から流路４１ａを経てスパージガスがマイクロシリンジ１６に供給される。試料中のＩＣから発生したＣＯ2はスパージガスとともにドレン出口２８から排出され、マイクロシリンジ１６にはＴＯＣが残る。その後、マイクロシリンジ１６の試料がＴＣ酸化反応部３２のＴＣ試料注入口３４を経てＴＣ燃焼管３６に注入され、試料中の炭素成分がＣＯ2に変換され、ＴＣ燃焼管３６で発生したＣＯ2はキャリアガスとともに除湿・ガス処理部４４を経て赤外線ガス分析部４６に送られてＴＯＣがＣＯ2として検出される。
【００２６】
表示装置１００は図２に示されるような構成をしている。表示素子としてタッチパネルつきの液晶表示装置（ＬＣＤ）１０２を備えている。ＬＣＤ１０２への画面表示を制御するために、ＬＣＤ１０２には液晶コントローラ（ＬＣＤコントローラ）１０４が接続されている。ＬＣＤコントローラ１０４は、ＬＣＤ１０２に表示する画面を構成してＬＣＤ１０２での画面表示を制御する。その画面には、分析部による検出結果を表示するデータ画面のほかに、画面のコントラストを調整するためのボタンを含む４つのボタンを矩形画面の４つの隅部に備えたコントラスト調整画面を少なくとも含んでいる。後で説明する図３の画面表示例は、測定結果を示すデータ画面と、その上に表示された４つのボタン１１０８ａ、１１０８ｂ、１１１０及び１１１２からなるコントラスト調整画面を示している。
【００２７】
ＬＣＤコントローラ１０４がＬＣＤ１０２に表示する画面を構成するために使用する画像データは、画面制御部１１４が画面制御部１１４内の記憶装置に保存しており、ＬＣＤコントローラ１０４がその画像データを読み出してＬＣＤ１０２に表示する画面を構成する。しかし、その画像データは、ＬＣＤコントローラ１０４に記憶装置を設け、ＬＣＤコントローラ１０４内のその記憶装置に保存するようにしてもよい。
【００２８】
ＬＣＤ１０２のタッチパネルの触れられた位置を認識するために、ＬＣＤ１０２にはタッチパネルコントローラ１０８が接続されている。
【００２９】
液晶表示装置の表示画面のコントラストを調整するためにコントラスト調整回路１１６が設けられている。コントラスト調整回路１１６は、測定データの表示などの通常の表示動作を行うときは、コントラスト調整値保存用メモリ１１５に保存されたコントラスト調整値に従って表示画面のコントラストを調整する。コントラスト調整用のボタン１１０８ａ又は１１０８ｂが押されてコントラストの調整作業を行うときは、表示制御部１１０の中の画面制御部１１４からの指示にしたがって液晶表示装置の表示画面のコントラストを調整する。
【００３０】
ＬＣＤコントローラ１０４とタッチパネルコントローラ１０８には表示制御部１１０が接続されている。表示制御部１１０は、タッチパネルコントローラ１０８からの信号を取り込み、コントラスト調整画面以外の画面のみが表示されている状態でＬＣＤ１０２に人が予め設定された一定時間以上触れたときに、現に表示中の画面の上にコントラスト調整画面を表示する。その一定時間をどの程度の時間にするかは適宜設定することができ、特に限定されるものではないが、例えば５秒間である。また、コントラスト調整画面が表示されているときに４つのボタン１１０８ａ、１１０８ｂ、１１１０及び１１１２のうちのコントラストを調整するためのボタン１１０８ａ又は１１０８ｂに人が触れたときにそのボタン１１０８ａ又は１１０８ｂの指示によるコントラスト調整を行う。コントラスト調整を完了したときは、表示制御部１１０はそのコントラスト調整値をコントラスト調整値保存用メモリ１１５に保存する。
【００３１】
コントラスト調整値保存用メモリ１１５は、この実施例では画面制御部１１４内に設けられている。しかし、コントラスト調整値保存用メモリ１１５はＬＣＤコントローラ１０４もしくは装置側制御部５６，５８に設けてもよく、又はそれらの部分から独立した別の記憶装置として設けてもよい。
【００３２】
表示制御部１１０は演算部２６及び動作制御部５８に接続されている。
【００３３】
表示制御部１１０は単独の素子として構成することもでき、ＬＣＤコントローラ１０４及びタッチパネルコントローラ１０８がＣＰＵ又はマイクロプロセッサにより実現されている場合にはそのＣＰＵ又はマイクロプロセッサにより実現することもできる。また、表示制御部１１０は演算部５６又は動作制御部５８内に設けることもできる。コントラスト調整回路１１６はハードウエアにより構成することもでき、単独又は他の部分と共用のＣＰＵ又はマイクロプロセッサにより実現することもできる。
【００３４】
表示制御部１１０は入力部１１２と画面制御部１１４を備えている。入力部１１２はタッチパネルに人が触れたときにタッチパネルコントローラ１０８が認識した位置情報を入力し、画面制御部１１４へ送り出す。
【００３５】
画面制御部１１４は、コントラスト調整画面以外の画面のみが表示されている状態のときに、入力部１１２から送られた情報から、一定時期間以上にわたって継続して人がタッチパネルに触れていることを認識した場合には、コントラスト調整画面をＬＣＤ１０２に表示するようにＬＣＤコントローラ１０４に命令を出す。また、画面制御部１１４は、コントラスト調整画面が表示されているときに、入力部１１２から送られた情報から、４つのボタン１１０８ａ、１１０８ｂ、１１１０及び１１１２のうちのコントラストを調整するためのボタン１１０８ａ又は１１０８ｂに人が触れていると認識した場合には、そのボタン１１０８ａ又は１１０８ｂの指示によるコントラスト調整を行う。
【００３６】
ＬＣＤ１０２の表示画面に表示されるコントラスト調整画面の例を図３に示す。表示画面の背景になっているのは、現に表示中であった測定中の測定結果を示すデータ画面である。この例では、全炭素（ＴＣ）の測定を行っており、測定時間ごとのＴＣ測定値がピークとして表示されている。そのデータ画面の表示中にＬＣＤ１０２のタッチパネルに一定時間（例えば５秒間）以上、人により触れられると、図３のコントラスト調整画面がそのデータ画面の上に表示される。この実施例では、コントラスト調整画面は表示画面の四隅に配置された４つのボタン１１０８ａ、１１０８ｂ、１１１０及び１１１２からなる。ボタン１１０８ａ、１１０８ｂ、１１１０及び１１１２のそれぞれのサイズは特に限定されるものではないが、操作性の観点からは大きい方がよい。コントラストの調整には背景の画面が見えなければならないので、適当な大きさが存在する。その適当な大きさとは、ボタン１１０８ａ、１１０８ｂ、１１１０及び１１１２のそれぞれの縦サイズは液晶表示装置の表示画面の縦サイズの１／４〜１／３、ボタンの横サイズは同表示画面の横サイズの１／５〜１／３程度である。
【００３７】
コントラスト調整画面の４つのボタン１１０８ａ、１１０８ｂ、１１１０及び１１１２の意味は次のとおりである。
「コントラストと△」：コントラストを明るくする。
「コントラストと▽」：コントラストを暗くする。
「ＯＫ」：コントラスト調整値を適用し、コントラスト調整値保存用メモリ１１５に保存し、調整を終了する。
「キャンセル」：調整値を調整前の状態に戻し、調整を終了する。
【００３８】
表示装置１００の動作を図４のフローチャートも参照して説明する。
【００３９】
測定動作中はＬＣＤ１０２には測定結果を表示する画面（例えば、図３の背景に表示されているもの。）が表示されている。
【００４０】
ユーザによりＬＣＤ１０２上に触られると、タッチパネルコントローラ１０８がタッチパネルの信号を読み取り、入力部１１２に通知する。入力部１１２は、タッチパネルコントローラ１０８の情報から、予め設定された一定時間、例えば５秒間以上継続して触れられていると判断した場合、画面制御部１１４へコントラスト調整画面を表示するように通知する。
【００４１】
画面制御部１１４は、コントラスト調整用ボタンを表示する。（図３参照。）
【００４２】
ユーザが、表示されているコントラスト調整用ボタン位置に触れると、タッチパネルコントローラ１０８がタッチパネルの信号を読み取り、入力部１１２に通知する。
【００４３】
入力部１１２は、タッチパネルコントローラ１０８の情報から、触れられた位置を取得し、画面制御部１１４へ通知する。
【００４４】
画面制御部１１４は、通知された位置からボタンの内容を判断し、コントラスト調整の上向きボタン１１０８ａ又は下向きボタン１１０８ｂの場合は、必要な情報をコントラスト調整回路１１６に通知する。コントラスト調整回路１１６は、上向きボタン１１０８ａからの指示である場合はコントラストを明るくし、下向きボタン１１０８ｂの場合はコントラストを暗くするようにコントラスト調整を行う。
【００４５】
「ＯＫ」ボタンが押されると、タッチパネルコントローラ１０８から入力部１１２を経て画面制御部１１４はその信号を受け取り、画面制御部１１４のコントラスト調整値保存用メモリにそのときのコントラスト調整値を保存する。これでコントラスト調整値保存用メモリに保存されているコントラスト調整値が更新されたことになり、コントラスト調整回路１１６はその更新されたコントラスト調整値に基づいてＬＣＤ１０２のコントラストを維持する。画面制御部１１４はＬＣＤコントローラ１０４を通してコントラスト調整画面（ボタン表示）を消す。
【００４６】
コントラスト調整中に「キャンセル」ボタンが押されると、タッチパネルコントローラ１０８から入力部１１２を経て画面制御部１１４はその信号を受け取り、画面制御部１１４のコントラスト調整値保存用メモリ１１５に保存されているコントラスト調整値（更新されていないコントラスト調整値）をコントラスト調整回路１１６に通知し、画面制御部１１４はＬＣＤコントローラ１０４を通してコントラスト調整画面を消す。この場合は、コントラストの調整中であっても、その調整中のコントラスト値はコントラスト調整値保存用メモリ１１５に保存されることなくキャンセルされる。
【００４７】
図５は、本発明の分析装置の他の実施例のＴＮ／ＴＰ計の概略構成図である。
【００４８】
試料水供給機構を兼ねた試薬供給機構２０２は、試料水や試薬の一定量を計量して採取し、酸化反応部であるリアクタ２０４に供給し、リアクタ２０４で酸化処理された試料を吸光度測定部２０６の測定セル２０６ａへ導くためのものである。吸光度測定部２０６は酸化処理された試料水の吸光度を測定する。
【００４９】
リアクタ２０４は、ペルオキソ二硫酸カリウム溶液２３２の添加された水溶液試料に紫外線を照射したり、加熱して酸化反応させたりすることにより、試料水中の窒素化合物とリン化合物をそれぞれ硝酸イオンとリン酸イオンに酸化分解する。
【００５０】
試薬供給機構２０２は、共通ポートと複数の分配ポートを備えた８ポートバルブ２０８、２１０と、８ポートバルブ２０８の共通ポートに接続されたシリンジポンプ２１２とで構成されており、８ポートバルブ２１０の共通ポートは連通管２１４を介して８ポートバルブ２０８の１つの分配ポートに接続されている。
【００５１】
８ポートバルブ２０８のそれぞれの分配ポートには、試薬を供給するために、水酸化ナトリウム（ＮａＯＨ）２３１につながる流路、ペルオキソ二硫酸カリウム溶液２３２につながる流路、ｐＨ値を調整するために添加する塩酸２３３につながる流路、硫酸２３４につながる流路、モリブデン酸アンモニウム溶液２３５につながる流路、Ｌ−アスコルビン酸溶液２３６につながる流路がそれぞれ接続され、残りの１つの分配ポートは気体導入・排出路として大気に開放されている。
【００５２】
８ポートバルブ２１０のそれぞれの分配ポートには、プラントなどからオンラインで試料を採取するためのオンライン試料用の流路、試料容器などから試料を採取するためのオフライン試料用の流路、校正液２３７につながる流路、反応部２０４につながる流路、希釈水２３８につながる流路、吸光度測定部２０６の測定セル２０６ａにつながる流路がそれぞれ接続され、残りのポートはドレイン用ポートとなっている。
【００５３】
８ポートバルブ２０８、２１０は制御部２２４により動作が制御されるパルスモータ（図示略）によって駆動されることにより、それぞれの分配ポートのいずれかのポートがそれぞれの８ポートバルブの共通ポートに接続される。
【００５４】
制御部２２４は吸光度測定部２０６の出力を入力し、ＴＮ濃度やＴＰ濃度を算出する。また、制御部２２４は８ポートバルブ２０８、２１０及びシリンジポンプ２１２の動作を制御する。制御部２２４には、表示装置２２５のほか、キーボード、レコーダ等（図示略）が接続されている。
【００５５】
制御部２２４は本発明における動作制御部と演算部を含んだものであり、図1の実施例における動作制御部２８と演算部５６を含んだものに相当する。制御部２２４はこのＴＮ／ＴＰ計の専用のコンピュータであってもよく、汎用のパーソナルコンピュータを接続して実現されたものであってもよい。
【００５６】
このＴＮ／ＴＰ計において、全窒素測定時は、試料水中に存在する硝酸イオン、亜硝酸イオン、アンモニウムイオン又は有機態窒素などの全ての窒素化合物は、試料水に試薬として酸化剤であるアルカリ性ペルオキソ二硫酸カリウム溶液が加えられ、リアクタ２０４で紫外線照射により又は１２０℃で３０分間加熱されることにより硝酸イオンに変えられる。リアクタ２０４で酸化処理された試料は、その試料液のｐＨが２〜３に調整され、吸光度測定部２０６の測定セル２０６ａにおいて波長２２０ｎｍでの紫外線吸光度により硝酸イオン濃度が測定される。
【００５７】
このＴＮ／ＴＰ計において、全リン測定時は、全てのリン化合物をリン酸イオンに変えて測定する。そのため、試料水中に存在するリン酸イオン以外の加水分解性リンや有機態リンもリン酸イオンに変えるために、中性状態で試薬として酸化剤であるペルオキソ二硫酸カリウム溶液が添加され、リアクタ２０４で紫外線照射により又は１２０℃で３０分間加熱されることにより、リン酸イオンに変えられる。リン酸イオンは特有の光吸収を持たないので、冷却後の試料液に試薬として発色剤であるモリブデン酸アンモニウム溶液とＬ−アスコルビン酸溶液が添加されて発色させられ、吸光度測定部２０６の測定セル２０６ａにおいて波長８８０ｎｍでの吸光度によりリン酸イオン濃度が測定される。
【００５８】
このＴＮ／ＴＰ計において、試料水中の有機汚濁物質濃度も測定することができる。有機汚濁物質測定時は、試料水はリアクタ２０４を経ないで吸光度測定部２０６の測定セル２０６ａに導かれる。すなわち、試料水は酸化処理が施されることなく、測定セル２０６ａおいて所定の波長、例えば波長２２０ｎｍ近傍での吸光度により有機汚濁物質濃度が測定される。
【００５９】
このＴＮ／ＴＰ計においても、表示装置２２５は図２に示された表示装置１００と同様の構成をしており、その動作も同じである。
【符号の説明】
【００６０】
１８      試料注入機構
３２      ＴＣ酸化反応部
４０      ガス精製・流量制御部
４６      赤外線ガス分析部
４８      化学発光分析部
５６      演算部
５８      動作制御部
１００，２２５      表示装置
１０２      ＬＣＤ
１０４      ＬＣＤコントローラ
１１０      表示制御部
１１２      入力部
１１４      画面制御部
１１５      コントラスト調整値保存用メモリ
１１６      コントラスト調整回路
２０４      リアクタ
２０６      吸光度測定部
２０６ａ      測定セル
２２４      制御部
【図１】
0005708316.tif 000002
【図２】
0005708316.tif 000003
【図４】
0005708316.tif 000004
【図５】
0005708316.tif 000005
【図３】
0005708316.tif 000006